(57)【特許請求の範囲】
【請求項１】
一方の筒状パイプのオス側端部を他方の筒状パイプのメス側端部の先端開口に挿入し、オス側係合穴とメス側係合穴を合致させて、内周面に係合突起を備えたＣ字状断面を有するカバー体を前記メス側端部の外側から装着することにより、前記係合突起を前記合致させた係合穴に係合して一対の前記筒状パイプを軸方向に連結一体化するパイプの連結構造であって、
前記カバー体は、前記Ｃ字状断面の切り欠き部分を挟んだ両側部分に内周面から内側に突出する脱落防止リブを備え、
前記メス側端部の外周面には、前記脱落防止リブを係止して前記カバー体の外側へのスライド移動を制限するリブ係止部が設けられ、
且つ、前記脱落防止リブが前記リブ係止部に係止されるまで前記カバー体を外側へスライド移動すると、前記係合突起はオス側係合穴から取り外された状態となるパイプの連結構造。
【請求項２】
前記メス側端部の外周面には、前記リブ係止部より下方部分に、前記脱落防止リブを両側から挟み込むように当接させることにより前記カバー体を外側へスライド移動した位置に保持させる棚部が形成されている請求項１記載のパイプの連結構造。
【請求項３】
前記カバー体の外周面には、前記Ｃ字状断面の切り欠き部分を挟んだ両側部分に、指掛け凹凸部が設けられている請求項１又は２に記載のパイプの連結構造。
【請求項４】
請求項１〜３のいずれかに記載のパイプの連結構造により、前記他方の筒状パイプとしてのグリップ部に前記一方の筒状パイプとしての柄を軸方向に連結一体化してなる掃除具。
【発明の詳細な説明】
【０００１】
【産業上の利用分野】
本発明は、一対の筒状パイプを軸方向に連結一体化するパイプの連結構造に関する。
【０００２】
【従来の技術及び発明が解決しようとする課題】
例えば図６に示す掃除具５０（特開平９−１４０６５０号公報）は、複数の円筒状パイプ５２を軸方向に連結一体化して形成される柄５１の端部を、掃除具５０を操作する際に手で把持する部分であるグリップ部５３に連結一体化してなるものである。柄５１の端部をグリップ部５３に連結する構造としては、一般にネジ接合によるものが知られているが、かかる連結構造によれば、掃除具５０をコンパクトにして収納する場合や、柄５１の長さを換えて使用したい場合、或いは清掃具５０を廃棄処分したい場合など、グリップ部５３を柄５１から取り外して分解する際に、ネジ接合による螺合状態を解除するのに手間がかかっていた。
【０００３】
一方、グリップ部５３を円筒状パイプにより構成し、これの端部の開口に柄５１の端部を挿入して二重のパイプ構造とし、各端部の周面に各々形成した係合穴を合致させて係合ピンを嵌合係止することにより、柄５１とグリップ部５３とを連結一体化する連結構造が提案されている。かかるパイプの連結構造によれば、係合ピンを嵌合係止したり嵌合状態を解除することにより、一対の筒状パイプを簡易に着脱することができるが、係合ピンを紛失し易く、また外側（メス側）の筒状パイプの係合穴から内側に係合ピンを突出させたままの状態で、誤って内側（オス側）の筒状パイプを引き抜こうとすると、係合ピンを破損する場合があった。
【０００４】
本発明は、合致させた係合穴に係合突起を係合して一対の筒状パイプの連結状態を簡易に着脱できると共に、係合突起の紛失や破損を効果的に回避できるパイプの連結構造及び該連結構造を用いた掃除具の提供を目的とする。
【０００５】
【課題を解決するための手段】
本発明は、一方の筒状パイプのオス側端部を他方の筒状パイプのメス側端部の先端開口に挿入し、オス側係合穴とメス側係合穴を合致させて、内周面に係合突起を備えたＣ字状断面を有するカバー体を前記メス側端部の外側から装着することにより、前記係合突起を前記合致させた係合穴に係合して一対の前記筒状パイプを軸方向に連結一体化するパイプの連結構造であって、前記カバー体は、前記Ｃ字状断面の切り欠き部分を挟んだ両側部分に内周面から内側に突出する脱落防止リブを備え、前記メス側端部の外周面には、前記脱落防止リブを係止して前記カバー体の外側へのスライド移動を制限するリブ係止部が設けられ、且つ、前記脱落防止リブが前記リブ係止部に係止されるまで前記カバー体を外側へスライド移動すると、前記係合突起はオス側係合穴から取り外された状態となるパイプの連結構造を提供することにより、上記目的を達成したものである。
【０００６】
また、本発明は、上記パイプの連結構造により、前記他方の筒状パイプとしてのグリップ部に前記一方の筒状パイプとしての柄を軸方向に連結一体化してなる掃除具を提供することにより、上記目的を達成したものである。
【０００７】
【発明の実施の形態】
本発明の好ましい実施形態に係るパイプの連結構造は、例えば床面等の拭き掃除を行うための掃除用シート部材が取り付けられた掃除板と、この掃除板から立設して設けられた、複数の円筒状パイプを軸方向に連結一体化してなる柄と、この柄の上端部に連結一体化されたグリップ部とからなる掃除具の当該柄をグリップ部に着脱可能に一体化する連結部の構造として採用されたものである（図６参照）。すなわち、掃除具は、運搬や販売の便宜から掃除板や円筒状パイプ、グリップ部等の部品に各々に分解され、これらの部品を一まとめとした状態で製品化されており、使用時にはこれらを組み立てて使用すると共に、収納時或いは廃棄時等にはこれらの部品に適宜分解されることになる。
【０００８】
そして、本実施形態のパイプの連結構造１０は、図１及び図２に示すように、複数の円筒状パイプからなる一方の筒状パイプとしての柄１１の一端部をオス側端部１３として、他方の筒状パイプであるグリップ部１２のメス側端部１４の先端開口１５に挿入し、オス側端部１３に形成されたオス側係合穴１６とメス側端部１４に形成されたメス側係合穴１７とを合致させて、内周面に係合突起としての嵌合ピン１８を備えたＣ字状断面を有するカバー体１９をメス側端部１４の外側から装着することにより、嵌合ピン１８を合致させた係合穴１６，１７に係合して柄１１とグリップ部１２とを軸方向に連結一体化するものである（図２参照）。
【０００９】
また、本実施形態の連結構造１０によれば、カバー体１９は、Ｃ字状断面の切り欠き部分２０を挟んだ両側部分に内周面から内側に突出する脱落防止リブ２１を備える。また、メス側端部１４の外周面には、脱落防止リブ２１を係止してカバー体１９の外側へのスライド移動を制限するリブ係止部２２が設けられている。そして、脱落防止リブ２１がリブ係止部２２に係止されるまでカバー体１９を外側へ持ち上げるようにスライド移動すると、嵌合ピン１８はオス側係合穴１６から取り外された状態となる（図４参照）。
【００１０】
一方の筒状パイプとしての柄１１は、外径１６ｍｍ、肉厚１ｍｍ程度の大きさの中空断面を有する、長さ２５０ｍｍ程度の金属製（アルミニウム製）の円筒状のパイプ部材を軸方向に複数連結一体化して構成され、その先端部がテーパー面を介して縮径してオス側端部１３となっている。このオス側端部１３は、グリップ部１２の先端開口１５に挿入されて、メス側端部１４と共に、密接状態で重なり合った二重構造の連結部２３を構成する。また、オス側端部１３の周面には、直径５ｍｍ程度の大きさの円形のオス側係合穴１６が開口形成されていると共に、オス側端部１３の端縁部からオス側係合穴１６に至るガイド溝２４が形成されいて、嵌合ピン１８を当該ガイド溝２２に沿ってオス側係合穴１６にスムースに案内できるようになっている。
【００１１】
他方の筒状パイプとしてのグリップ部１２は、柄１１のオス側端部１３を挿入可能な１４ｍｍ程度の内径の中空部を備える合成樹脂からなる円筒状部材であって、その本体部分２５の外周部分には、手で把持しやすいように湾曲加工や滑り止め加工が施されていると共に、先端開口１５側の一端部がその肉厚を増大することにより拡径されたメス側端部１４となっている。また、メス側端部１４の先端開口１５から１５ｍｍ程度離れた位置には、メス側端部１４の周面に沿って、Ｃ字状断面を有するカバー体１９と略合致する形状の、巾１０ｍｍ程度のＣ字状断面の帯状溝２６が形成されている。なお、グリップ部１２の先端開口１５の内周面には、凹凸加工３１が施されていて、オス側端部１３の外周面を安定した状態で密着させることができるようになっている。
【００１２】
この帯状溝２６には、図３（ｂ）に示すように、上端中央部分に、直径５ｍｍ程度の大きさの円形のメス側係合穴１７が開口形成されていると共に、上端中央部分の両側略９０度を超えた部分は、この帯状溝２６が深くなるように切り込まれていることにより、当該両側の切り込み部分２７の上端面が、脱落防止リブ２１を係止させるリブ係止部２２を各々構成している。また、両側のリブ係止部２２よりＣ字状断面の切り欠き部分側である下方部分には、略垂直に切り立った棚部２８が各々形成されており、またこの棚部２８は、内側に湾曲する湾曲面となっていることにより、後述するカバー体１９の脱落防止リブ２１を当該棚部２８を両側から挟み込むようにして当接させる際に、安定した状態で当該棚部２８に当接させ、カバー体１９を外側へスライド移動した位置に容易に保持しておくことが可能になる。そして、この帯状溝２６には、カバー体１９が、その外周面をメス側端部１４の外周面と面一にした状態で、外側（上方）にスライド移動に可能に装着される。
【００１３】
カバー体１９は、図３（ａ）に示すように、Ｃ字状断面を有する合成樹脂からなる巾１０ｍｍ程度の円弧形状の帯状部材であって、Ｃ字状断面の切り欠き部分２０を拡げつつカバー体１９を拡径するようにして弾性変形させることができる。Ｃ字状断面の内面上端中央部分には、内側に突出する直径５ｍｍ程度の大きさの円柱状の嵌合ピン１８が一体として設けられており、この嵌合ピン１８は、カバー体１９が帯状溝２６に装着される際に、メス側係合穴１７に挿入嵌合され、その下端部分をメス側端部１４の内周面から内側に突出させる。なお、嵌合ピン１８の先端面には、ガイドリブ２９が突出して設けられており、メス側端部１４にオス側端部１３を挿入する際に、ガイドリブ２９をオス側端部１３のガイド溝２２に沿ってスライドさせることにより、嵌合ピン１８をオス側係合穴１６まで案内して、合致したオス側係合穴１６及びメス側係合穴１７に嵌合ピン１８を容易に係合させることができるようになっている。
【００１４】
また、Ｃ字状断面の切り欠き部分２０を挟んだカバー体１９の両側部分に設けられる脱落防止リブ２１は、カバー体１９の全巾に亘ってカバー体１９の内周面から突出して設けられた突条であって、メス側端部１４の帯状溝２６にカバー体１９が装着された状態では、帯状溝２６の切り込み部分２７に配置される（図２参照）。また、カバー体１９をメス側端部１４に対して外側にスライド移動させた際に、脱落防止リブ２１は、切り欠き部分２０を拡げつつ切り込み部分２７の外周面に沿って上方に移動し、リブ係止部２２に当接係止されてカバー体１９のそれ以上のスライド移動を阻止すると共に、カバー体１９の弾性により両側から挟み込むようにして棚部２８に当接し、カバー体１９をスライド移動させた状態を安定して保持する（図４参照）。なお、脱落防止リブ２１をリブ係止部２２に当接係止するまでカバー体１９を外側にスライド移動させた際に、嵌合ピン１８をメス側端部１４の内周面から内側に突出させないような位置関係で、脱落防止リブ２１、リブ係止部２２、及び棚部２８が形成されている。
【００１５】
さらに、本実施形態によれば、カバー体１９の外周面には、Ｃ字状断面の切り欠き部分２０を挟んだ両側部分に、平行に延設された各３条の突条からなる指掛け凹凸部３０が設けられている。この指掛け凹凸部３０に指を掛けて、滑りを防止しつつ安定した状態でカバー体１９を外側にスライド移動させることが可能になる。
【００１６】
本実施形態のパイプの連結構造１０により、柄１１とグリップ部１２とを軸方向に連結一体化するには、帯状溝２６にカバー体１９を装着して嵌合ピン１８の先端を内周面から内側に突出させたグリップ部１２のメス側端部１４の先端開口１５に、柄１１のオス側端部１３を挿入して行く。即ち、オス側端部１３のガイド溝２４の延長上に嵌合ピン１８が来るように位置合わせしつつ、オス側端部１３をメス側端部１４に挿入して行けば、カバー体１９の弾性により嵌合ピン１８はガイド溝２４に乗り上げ、当該ガイド溝２４に沿ってオス側係合穴１６までスライド移動して行く。オス側端部１３のテーパー面が先端開口１５の開口縁部に当接して、オス側係合穴１６とメス側係合穴１７とが合致すると、カバー体１９の内側への弾性付勢力によって嵌合ピン１８がオス側係合穴１６に挿入嵌合され、これによってオス側端部１３とメス側端部１４が密着状態で強固に接合一体化される（図２参照）。
【００１７】
柄１１をグリップ部１２から取り外すには、図４に示すように、指掛け凹凸部３０に指を掛けて、脱落防止リブ２１がリブ係止部２２に当接係止するまでカバー体１９を外側にスライド移動させれば、嵌合ピン１８はオス側係合穴１６から取り外された状態となるので、オス側端部１３をメス側端部１４からスムースに引き抜くことができ、これによって柄１１とグリップ部１２とを簡易に分解することができる。
【００１８】
ここで、本実施形態によれば、オス側端部１３とメス側端部１４とを係合するカバー体１９は、メス側端部１４に装着一体化されており、カバー体１９を外側にスライド移動する際には、脱落防止リブ２１のリブ係止部２２への係止によりその移動量が規制されるので、カバー体１９がメス側端部１４から外れることがなく、従って嵌合ピン１８を紛失することがない。また、脱落防止リブ２１をリブ係止部２２へ当接係止させることにより、嵌合ピン１８がオス側係合穴１６から取り外された状態を確実に認知することができ、嵌合ピン１８をメス側係合穴１７から内側に突出させたままの状態で、誤って柄１１を引き抜こうとするのを回避することができる。
【００１９】
すなわち、本実施形態のパイプの連結構造１０によれば、合致させた係合穴１６，１７に嵌合ピン１８を係合して柄１１とグリップ部１２の連結状態を簡易に着脱できると共に、嵌合ピン１８の紛失や破損を効果的に回避することができる。また、メス側端部１４のリブ係止部２２より下方部分には棚部２８が形成されているので、カバー体１９の脱落防止リブ２１を当該棚部２８を両側から挟み込むようにして当接させることにより、嵌合ピン１８がオス側係合穴１６から取り外された状態を容易に保持することができ、カバー体１９から指を離した状態で、オス側端部１３をメス側端部１４から容易に引き抜くことができる。
【００２０】
なお、本発明は、上記実施形態に限定されることなく種々の変更が可能である。例えば、本発明は、掃除具のグリップ部に柄を連結する場合のみならず柄を構成する筒状パイプ同士を連結する際にも採用することができる。また、掃除具に限定されることなく、複数の円筒状パイプを軸方向に連結一体化して形成される種々の長尺のロッド状部材における筒状パイプの連結構造として採用することもできる。さらに、連結される筒状パイプは円筒状パイプに限定されるものではない。さらにまた、内周面に係合突起を備えたＣ字状断面を有するカバー体として、例えば図５（ａ），（ｂ）に示すような種々の形状のものを用いることもできる。なお、図５（ａ）に示すカバー体４０は、外周面を湾曲する凹条に陥没させて、Ｃ字状断面の切り欠き部分を挟んだ両側部分に指掛け凹凸部４１を形成したものであり、図５（ｂ）に示すカバー体４２は、Ｃ字状断面の切り欠き部分を挟んだ両側部分をＳ字状に下方に延設して指掛け凹凸部４３としたものである。
【００２１】
【発明の効果】
本発明のパイプの連結構造及び掃除具によれば、合致させた係合穴に係合突起を係合して一対の筒状パイプの連結状態を簡易に着脱できると共に、係合突起の紛失や破損を効果的に回避することができる。
【図面の簡単な説明】
【図１】本発明の一実施形態に係るパイプの連結構造を説明する分解斜視図である。
【図２】一対の筒状パイプを連結した状態のパイプの連結構造を説明する図１のＡ−Ａに沿った断面図である。
【図３】（ａ）はカバー体の断面図、（ｂ）はカバー体が装着される部分のメス側端部の断面図である。
【図４】一対の筒状パイプを取り外す状態のパイプの連結構造を説明する図１のＡ−Ａに沿った断面図である。
【図５】（ａ）及び（ｂ）は、内周面に係合突起を備えたカバー体の他の実施態様を示す斜視図である。
【図６】本発明のパイプの連結構造が採用される掃除具を例示する斜視図である。
【符号の説明】
１０  パイプの連結構造
１１  柄（一方の円筒状パイプ）
１２  グリップ部（他方の円筒状パイプ）
１３  オス側端部
１４  メス側端部
１５  先端開口
１６  オス側係合穴
１７  メス側係合穴
１８  嵌合ピン（係合突起）
１９，４０，４２  カバー体
２０  Ｃ字状断面の切り欠き部分
２１  脱落防止リブ
２２  リブ係止部
２６  帯状溝
２７  切り込み部分
２８  棚部
３０，４１，４３  指掛け凹凸部
【図１】
0004446583.tif 000002
【図２】
0004446583.tif 000003
【図３】
0004446583.tif 000004
【図４】
0004446583.tif 000005
【図５】
0004446583.tif 000006
【図６】
0004446583.tif 000007